【手続補正書】
【提出日】平成17年4月1日(2005.4.1)
【手続補正１】
【補正対象書類名】特許請求の範囲
【補正対象項目名】全文
【補正方法】変更
【補正の内容】
【特許請求の範囲】
【請求項１】
充填用容器から薬剤を投薬するために該充填用容器が挿入されて用いられる携帯用薬剤投薬器の機能を制御する方法であって、該投薬器機能制御方法は、
（ａ）前記投薬器の機能と関連した１つ又はそれ以上の変数を記憶するために記憶装置を備え、
（ｂ）前記投薬器の機能を制御するために、データを認証するための認証データを記憶し、
（ｃ）前記投薬器のために制御データを受信し、
（ｄ）前記記憶された認証データを使用した制御データの認証を実行し、
（ｅ）前記制御データに従って、前記投薬器の機能を制御するための前記記憶装置内で、前記認証の結果に依存して１又はそれ以上の変数を変動させるものであり、
前記ステップ（ｃ）は、前記充填用容器における制御データを受信することを含み、
前記ステップ（ｄ）は、前記充填用容器における制御データを認証することを含み、
前記認証の後、前記制御データは前記充填用容器に格納され、前記充填用容器が前記投薬器に挿入された後、前記制御データは前記メモリに伝送される
ことを特徴とする投薬器機能制御方法。
【請求項２】
前記認証の段階は、前記制御データに付随したコードを確認することを特徴とする請求項１に記載の投薬器機能制御方法。
【請求項３】
前記認証データは、前記コードのチェックをする暗号鍵を含むことを特徴とする請求項２に記載の投薬器機能制御方法。
【請求項４】
前記制御データからデジタル署名生成よって形成されたデジタル署名を含むことを特徴とする請求項２又は３に記載の投薬器機能制御方法。
【請求項５】
前記認証のステップは、前記制御データの暗号解読を含むことを特徴とする請求項１〜４のいずれか一項に記載の投薬器機能制御方法。
【請求項６】
前記認証データは、暗号鍵を含み、前記制御データが暗号化されることを特徴とする請求項５に記載の投薬器機能制御方法。
【請求項７】
前記制御データを暗号解読するために使用された前記暗号鍵は、共有化された秘密鍵であることを特徴とする請求項６に記載の投薬器機能制御方法。
【請求項８】
前記認証は、暗号書記法の問合せ／応答手続きを含むことを特徴とする請求項１〜７のいずれか一項に記載の投薬器機能制御方法。
【請求項９】
前記認証のステップは、前記携帯用薬剤投薬器において認証を実行することを特徴とする請求項１〜８のいずれか一項に記載の投薬器機能制御方法。
【請求項１０】
前記携帯用薬剤投薬装置は、ドッキングステーションと共に使用され、前記認証のステップは、前記投薬器に対して前記ドッキングステーションにおいて、認証を実行することを特徴とする請求項１〜９のいずれか一項に記載の投薬器機能制御方法。
【請求項１１】
前記携帯用薬剤投薬器は、通信ネットワークノードと共に使用され、前記制御データは、前記ネットワークノードから受信された前記制御データを含むことを特徴とする請求項１〜１０のいずれか一項に記載の投薬器機能制御方法。
【請求項１２】
前記制御データは、前記投薬器の薬量測定機能を制御するために配列されたデータを含むことを特徴とする請求項１〜１１のいずれか一項に記載の投薬器機能制御方法。
【請求項１３】
前記制御データは、前記投薬器の催促機能を制御するために配列されたデータを含むことを特徴とする請求項１〜１２のいずれか一項に記載の投薬器機能制御方法。
【請求項１４】
前記制御データは、前記投薬操作の間に薬剤総量を制御するために配列されたデータを含むことを特徴とする請求項１〜１３のいずれか一項に記載の投薬器機能制御方法。
【請求項１５】
薬剤を投薬するために挿入可能な充填用容器を含む携帯用薬剤投薬器であって、
（ａ）前記投薬器の機能と関連した１つ又はそれ以上の変数を記憶するための記憶装置と、
（ｂ）前記投薬器の機能を制御するために、データを認証するための認証データを記憶する手段と、
（ｃ）前記投薬器のために制御データを受信する手段と、
（ｄ）前記記憶された認証データを使用した制御データの認証を実行する手段と、
（ｅ）前記制御データに従って、前記投薬器の機能を制御するための前記記憶装置内で、前記認証の結果に依存して１又はそれ以上の変数を変動させる手段とを含み、
前記手段（ｃ）は、前記充填用容器における制御データを受信する手段を含み、
前記手段（ｄ）は、前記充填用容器における制御データを認証する手段を含み、
前記認証の後、前記制御データは前記充填用容器に格納され、前記充填用容器が前記投薬器に挿入された後、前記制御データは前記メモリに伝送される
ことを特徴とする携帯用薬剤投薬器。
【請求項１６】
前記手段（ｄ）は、前記制御データに付随したコードを確認する手段を含むことを特徴とする請求項１５に記載の携帯用薬剤投薬器。
【請求項１７】
前記認証データは、前記コードのチェックをする暗号鍵を含むことを特徴とする請求項１６に記載の携帯用薬剤投薬器。
【請求項１８】
前記制御データからデジタル署名生成よって形成されたデジタル署名を含むことを特徴とする請求項１６又は１７に記載の携帯用薬剤投薬器。
【請求項１９】
前記手段（ｄ）は、前記制御データの暗号を解読する手段を含むことを特徴とする請求項１５〜１８のいずれか一項に記載の携帯用薬剤投薬器。
【請求項２０】
前記認証データは、暗号鍵を含み、前記制御データが暗号化されることを特徴とする請求項２０に記載の携帯用薬剤投薬器。
【請求項２１】
前記制御データを暗号解読するために使用された前記暗号鍵は、共有化された秘密鍵であることを特徴とする請求項２０に記載の携帯用薬剤投薬器。
【請求項２２】
前記手段（ｄ）は、暗号書記法の問合せ／応答手続きを行う手段を含むことを特徴とする請求項１５〜２１のいずれか一項に記載の携帯用薬剤投薬器。
【請求項２３】
前記携帯用薬剤投薬器において認証を実行する手段をさらに含むことを特徴とする請求項１５〜２２のいずれか一項に記載の携帯用薬剤投薬器。
【請求項２４】
ドッキングステーションをさらに含み、前記ドッキングステーションは、前記ドッキングステーションにおいて認証を実行する手段を含むことを特徴とする請求項１５〜２３のいずれか一項に記載の携帯用薬剤投薬器。
【請求項２５】
前記携帯用薬剤投薬器は、通信ネットワークノードと共に使用され、前記制御データは、前記ネットワークノードから受信された前記制御データを含むことを特徴とする請求項１５〜２４のいずれか一項に記載の携帯用薬剤投薬器。
【請求項２６】
前記制御データは、前記投薬器の薬量測定機能を制御するために配列されたデータを含むことを特徴とする請求項１５〜２５のいずれか一項に記載の携帯用薬剤投薬器。
【請求項２７】
前記制御データは、前記投薬器の催促機能を制御するために配列されたデータを含むことを特徴とする請求項１５〜２６のいずれか一項に記載の携帯用薬剤投薬器。
【請求項２８】
前記制御データは、前記投薬操作の間に薬剤総量を制御するために配列されたデータを含むことを特徴とする請求項１５〜２７のいずれか一項に記載の携帯用薬剤投薬器。
【請求項２９】
ネットワークノードと、携帯用薬剤投薬器と、該携帯用薬剤投薬器に挿入可能な薬剤を投薬するための充填用容器とを含んだ、携帯用薬剤投薬器の機能を制御するシステムであって、
前記ネットワークノードは、通信ネットワークに接続されており、前記投薬器の機能と関連した１つ又はそれ以上の変数を記憶したデータベースにアクセス可能であり、
（ａ）前記１つ又はそれ以上の変数を用いて前記投薬器のための制御データを生成する手段と、
（ｂ）前記制御データに基づいて認証データを生成して、信頼性を証明できる制御データを作成する手段と、
（ｃ）前記信頼性を証明できる制御データを前記投薬器に伝送することにより、前記生成された制御データの認証を可能にする手段とを含み、さらに、
前記充填用容器において前記信頼性を証明できる制御データを受信する手段と、
前記充填用容器において前記制御データの認証を行う手段とを含むこと、並びに
前記認証の後、前記制御データは前記充填用容器に格納され、前記充填用容器が前記投薬器に挿入された後、前記制御データは前記メモリに伝送されることを特徴とするシステム。
【請求項３０】
請求項２９に記載のシステムであって、前記薬剤投薬器のためのドッキングステーションをさらに含み、
前記システムは、前記信頼性を証明できる制御データを前記ドッキングステーションに伝送する手段をさらに含んでいることを特徴とするシステム。